(57)【要約】【課題】コンピュータネットワークを介して行う貴金属商品の販売方法に関し、販売を促進すると共に販売した貴金属商品の贈答や流通も可能にする。【解決手段】貴金属商品の購入者に価格とＩＤと付与した預りカードを発行し、預りカードと引き替えに商品ないし役務を提供する契約店舗を募集し、契約店舗にはコンピュータにネットワーク接続した入出力端末を設置させ、要求により預りカードと貴金属商品とを交換し、契約店舗に対しては預りカードと交換に貴金属商品を買い戻す。上記コンピュータに、貴金属リストと、契約店舗リストと、注文画面開示手段と、注文時に商品リストの該当レコードに預りフラグを立てる注文処理手段と、契約店舗の端末から受領信号を受けたときに商品リストの該当レコードの預りフラグを消去して当該商品の買戻し価格を契約店舗リストの該当レコードに計上する受領情報処理手段とを登録する。【選択図】      図３
2005321839.tif 000002
【特許請求の範囲】
【請求項１】
貴金属商品の購入者に当該貴金属商品に代えてその価格とＩＤと付与した預りカードを発行し、預りカードと引き替えに商品ないし役務を提供する契約店舗を募集し、預りカード及び契約店舗をネットワークに接続したコンピュータで管理し、前記契約店舗には前記コンピュータにネットワーク接続した入出力端末を設置させ、要求に応じて預りカードと対応する貴金属商品とを交換するとともに、契約店舗に対しては預りカードと交換に貴金属商品を買い戻す、貴金属商品の販売方法。
【請求項２】
販売しようとする貴金属商品のリストをコンピュータに登録してその注文画面をインターネット上に公開し、前記コンピュータにネットワーク接続された入出力端末を備えた契約店舗を募集して前記コンピュータに登録し、前記リストに登録された貴金属商品の購入者に当該貴金属商品と対応付けたＩＤを有しかつ表示価格の合計が当該貴金属商品の額に相当する額となる預りカードの一枚又は複数枚を割当てて割当てた預りカードのＩＤと表示価格とを前記コンピュータに登録し、前記コンピュータは、契約店舗の端末から照会信号を受けたときに該当する商品ないし預りカードの現在情報を当該端末に送信し、受領信号を受けたときに当該預りカードの登録を抹消して当該契約店舗の登録情報に関連づけて当該預りカードの表示価格に対応する金額を計上することを特徴とする、貴金属商品の販売方法。
【請求項３】
販売する貴金属商品の情報を記録した商品リストと、予め契約した複数の契約店舗の情報を記録した契約店舗リストと、商品リストに登録した貴金属商品の注文画面をインターネット上に公開する注文画面開示手段と、注文情報を受信したときに注文元に当該注文に係る貴金属商品の商品ＩＤを通知すると共に商品リストの該当レコードに預りフラグを立てる注文処理手段と、契約店舗リストに登録されている端末から照会信号を受けたときに商品ＩＤで指定された商品の現在情報を送信する照会応答手段と、契約店舗リストに登録されている端末から受領信号を受けたときに上記商品リストの商品ＩＤで指定されたレコードの預りフラグを消去すると共に当該商品ＩＤで指定された貴金属商品の買戻し価格に対応する金額を契約店舗リストの該当レコードに計上する受領情報処理手段とをインターネットに接続されたコンピュータに登録することを特徴とする、貴金属商品の販売方法。
【請求項４】
注文画面開示手段が贈答先情報の入力欄を含む注文画面を公開し、注文処理手段が注文に係る貴金属商品の画像を含む情報と商品ＩＤとを贈答先に通知する、請求項３記載の貴金属商品の販売方法。
【請求項５】
貴金属商品の販売元が設置するコンピュータに接続された入出力端末を設置し、商品ないし役務の対価として前記販売元が販売した貴金属商品と対応する預りカードを受領しようとするときは当該預りカードのＩＤを前記端末から前記コンピュータに送信して当該預りカードの情報を当該端末に表示させ、預りカードを受領したときはそのＩＤを受領信号とともに前記コンピュータに送信することを特徴とする、対価の受領方法。
【発明の詳細な説明】
【０００１】
【発明の属する技術分野】
この発明は、貴金属商品の販売方法に関し、貴金属商品とその預り証となるカードの管理と流通とをコンピュータネットワークを介して行う方法に関するものである。
【０００２】
【従来の技術】
貴金属商品は、現金、口座からの代金引き落とし、割賦販売など、種々の販売方法で販売されている。また貴金属商品は、贈答品としても広く用いられており、更に貴金属商品が高額で価値変動も少ないことから資産として購入されることもある。
【０００３】
一方、贈答行為は、社会生活の種々の局面で行われており、貴金属商品が贈答されることも多いが、贈答に際して送り主は金額と受け手の満足度とを考慮して贈り物を選択する必要があり、時間と手間が必要である。送り主は受け手の趣味や要望や生活習慣を必ずしも十分に承知しているわけではないから、熟慮して選択した贈り物であっても、受け手にとって好ましい贈り物であるという保証はない。受け手にとって不満足な贈り物は、使用されないで死蔵されるか、あるいは安い価格で専門業者に引き取らせることとなり、贈答の意味が半減する。
【０００４】
一方、受け手が自由に自分の好みのものを選択できる贈答方法として、現金や商品券を贈答する方法があるが、これらはあまりにも贈答金額があからさまであり、送り主の気持ちが金額だけで計られることになりやすく、送り主の気持ちを十分に相手に伝えることができない。贈り物が物品であれば、ある物品を選ぶという行為で送り主の趣味や気持ちを相手に伝えることができ、その物品を仲立ちとして、送り主と受け手とのコミュニケーションや親近感が生まれることがあるが、現金や商品券ではそのようなことが期待できない。
【０００５】
【発明が解決しようとする課題】
この発明は、貴金属商品の販売を促進すると共に、販売した貴金属商品の贈答や財貨としての流通も可能にする新たな方法を得ることを課題としてなされたものである。
【０００６】
【課題を解決するための手段】
この発明の貴金属商品の販売方法は、貴金属商品の購入者に当該貴金属商品に代えてその価格とＩＤと付与した預りカードを発行し、預りカードと引き替えに商品ないし役務を提供する契約店舗を募集し、預りカード及び契約店舗をネットワークに接続したコンピュータで管理し、前記契約店舗には前記コンピュータにネットワーク接続した入出力端末を設置させ、要求に応じて預りカードと対応する貴金属商品とを交換するとともに、契約店舗に対しては預りカードと交換に貴金属商品を買い戻すというものである。
【０００７】
この発明の方法で販売される貴金属商品は、一般的には金商品であるが、特に金に限定されるものではない。商品としての形態は、装飾品、地金、置物など種々のものが可能で、好ましい形態の例としては、実施例で用いているカード形のものの他、メダル形、スティック形などを挙げることができる。
【０００８】
上記発明を実現する請求項２記載のコンピュータ内の処理方法は、販売しようとする貴金属商品のリストをコンピュータに登録してその注文画面をインターネット上に公開し、前記コンピュータにネットワーク接続された入出力端末を備えた契約店舗を募集して前記コンピュータに登録し、前記リストに登録された貴金属商品の購入者に当該貴金属商品と対応付けたＩＤを有しかつ表示価格の合計が当該貴金属商品の額に相当する額となる預りカードの一枚又は複数枚を割当てて割当てた預りカードのＩＤと表示価格とを前記コンピュータに登録し、前記コンピュータは、契約店舗の端末から照会信号を受けたときに該当する商品ないし預りカードの現在情報を当該端末に送信し、受領信号を受けたときに当該預りカードの登録を抹消して当該契約店舗の登録情報に関連づけて当該預りカードの表示価格に対応する金額を計上する、というものである。
【０００９】
請求項３記載の方法では、インターネットに接続されたコンピュータを用い、そのコンピュータに、販売する貴金属商品の情報を記録した商品リストと、予め契約した複数の契約店舗の情報を記録した契約店舗リストと、商品リストに登録した貴金属商品の注文画面をインターネット上に公開する注文画面開示手段と、注文情報を受信したときに注文元に当該注文に係る貴金属商品の商品ＩＤを通知すると共に商品リストの該当レコードに預りフラグを立てる注文処理手段と、契約店舗リストに登録されている端末から照会信号を受けたときに商品ＩＤで指定された商品の現在情報を送信する照会応答手段と、契約店舗リストに登録されている端末から受領信号を受けたときに上記商品リストの商品ＩＤで指定されたレコードの預りフラグを消去すると共に当該商品ＩＤで指定された貴金属商品の買戻し価格に対応する金額を契約店舗リストの該当レコードに計上する受領情報処理手段とを登録する。
【００１０】
この請求項３記載の方法を用いて貴金属商品の贈答を可能にするときは、注文画面開示手段が贈答先情報の入力欄を含む注文画面を公開し、注文処理手段が注文に係る貴金属商品の画像を含む情報と商品ＩＤとを贈答先に通知する。
【００１１】
この発明を契約店舗側から見たときの、当該契約店舗での対価の受領方法は、貴金属商品の販売元が設置するコンピュータに接続された入出力端末を設置し、商品ないし役務の対価として前記販売元が販売した貴金属商品と対応する預りカードを受領しようとするときは当該預りカードのＩＤを前記端末から前記コンピュータに送信して当該預りカードの情報を当該端末に表示させ、預りカードを受領したときはそのＩＤを受領信号とともに前記コンピュータに送信するというものである。
【００１２】
上記方法において、購入者又は贈答先から貴金属商品の送付依頼があったときは、商品ＩＤで特定される貴金属商品を送付する。この送付作業は、商品リストの商品ＩＤで指定されたレコードに預りフラグが立っていることを確認した上で、販売元の作業者が行なう。この商品の送付を行ったときは、コンピュータ１１にその旨を入力する。この入力を受けたコンピュータは、商品リストの商品ＩＤで指定されたレコードに販売済みフラグを立てるか、当該レコードを商品リストから削除する。
【００１３】
貴金属商品はそれ自体が美術品や装飾品としての価値及び貴金属地金としての経済的価値を有している。預りカードは、貴金属商品といつでも交換できるので、貴金属商品自体に代えてその預りカードを贈答することもできる。受け手は、贈答された貴金属商品を受取ることもできるし、契約店舗で他の好みのものと交換することもできる。
【００１４】
【発明の実施の形態】
以下、図面に示した実施例を参照して、この発明を説明する。以下に述べる実施例では、貴金属商品として金箔を透明合成樹脂シートで密封したカード形の貴金属商品（以下「純金カード」という）を用いている。
【００１５】
図１に示す純金カード１は、転写により表面に絵柄を印刷した所定質量の金箔を２枚の透明樹脂シートの間に封入したもので、裏面側の樹脂シートの上に、その樹脂シートより若干寸法の小さい大きさの金箔を添設し、更にその上に透明樹脂シートを添設して、金箔の周囲部分において表裏の樹脂シート相互を貼着して金箔を密封した構造である。裏面の樹脂シート又は表面の透明樹脂シートの金箔側の面にその純金カードを特定する商品ＩＤと共に金の純度や質量が表示されいてる。純金カードに表す上記絵柄は、美術的価値を有する絵画の複製などとし、絵画などに対する世人の多様な嗜好に応じることができるように、絵柄の異なる多種の商品を準備する。
【００１６】
図２はこの発明で用いられる預りカードの実施例を示した図である。預りカード２は、プラスチックシート製で、その表面に貴金属商品の商品ＩＤと対応するカードＩＤが文字とバーコードとで記載されており、その上にコインなどで摺擦することにより剥離可能な金属箔からなる隠蔽シール４が貼着されている。商品ＩＤないしカードＩＤは、文字やバーコードなどの他、磁気ストライプ、ラジオチップなどに記録してもよい。更にこの預りカードには、対応する貴金属商品の価格、金の純度及び質量が表示されいている。カードＩＤは、通常は商品ＩＤと同じであるが、高価な貴金属商品に対応させるときは、カードＩＤに枝番を付けて複数枚の預りカードを一個の貴金属商品に対応させることもできる。
【００１７】
図３は、実施例の方法で使用するハードウエアの構成を示した図で、データの記録と処理を行うコンピュータ１１と、当該コンピュータにインターネット６で接続された複数の契約店舗端末４１とを備えている。契約店舗端末４１は、契約店舗に設置された端末で、契約店舗は、販売した商品や提供したサービスの対価として預りカードを額面価格で引き取ることを承諾した者である。コンピュータ１１には、インターネットを介して不特定多数の購入者端末４８がネットワーク接続される。
【００１８】
コンピュータ１１の補助記憶装置には、図４に示す商品リスト及び図５に示す契約店舗リストが記録されている。商品リストは、預りカードのカードＩＤ、これに対応する貴金属商品の商品ＩＤ、その価格、金の純度とグラム数、在庫・販売・預りフラグの記録項目、日付、購入者情報の項目などをテーブル形式で記録したファイルである。契約店舗リストには、店舗ＩＤとともに名称、住所、電話番号、担当者などの通常の顧客管理リストが備えている項目とともに、金額と引取率を記録する項目が設けられている。この引取率の項目には、契約店舗が商品やサービスの対価として受け取った預りカードを決済するときの表示価格に対する掛け率（割引率）が記録される。
【００１９】
図６は、販売元、契約店舗、顧客間におけるカードとデータの流れを示した図である。太い縦線は、前述したコンピュータ１１、契約店舗端末４１及び購入者端末４８を示し、細い縦線は、販売元、契約店舗及び購入者を示す。
【００２０】
貴金属商品の販売元は、販売しようとする貴金属商品（純金カード）に対応付けた預りカードを準備し、契約店舗を募集する。募集に応じた店舗に端末４１の設置を依頼して、契約店舗リストに登録する。そして貴金属商品の画像を含む商品データをコンピュータに登録し、その注文画面をインターネット上に公開する。商品の注文があり、購入者から代金の支払いを受けたとき、販売元は、購入された貴金属商品の預りカードを発行し、商品リストに預りフラグを立て、必要な購入者情報を記録する。
【００２１】
貴金属商品の購入者又は購入者から譲渡を受けた者が対応する貴金属商品を受け取ることを希望するときは、販売元はいつでも、預りカードと引き替えに貴金属商品を渡し、商品リストの当該商品に対応するレコードに販売フラグを立てる。
【００２２】
購入者が購入した貴金属商品の代わりに他のサービスの提供や他の商品の購入が必要になったとき、当該サービスや商品を提供する契約店舗に預りカードを提出して、商品やサービスの対価に充当することができる。このとき、契約店舗は、客が提示した預りカードのＩＤを含む照会信号をコンピュータ１１に送信する。照会信号を受けたコンピュータ１１は、ＩＤで商品リストを検索して預りフラグが立っているかどうかをチェックし、預りフラグが立っていれば受領可能信号を返信し、預りフラグが立っていないとき（又は販売フラグや在庫フラグが立っているとき）は受領不可信号を返信する。この返信内容は契約店舗端末４１に表示される。受領可能であれば、契約店舗は、その預りカードを商品や役務の対価として受け取り、受領したカードのＩＤを端末４８を通じてコンピュータ１１に送信する。この送信を受けたとき、コンピュータ１１は、商品リストの当該ＩＤに対応するレコードの預りフラグを消去し、必要に応じて受領した契約店舗ＩＤや日付を記録する。そして預りカードを受領した契約店舗のレコードにそのカードの額面価格に対応する代金を計上する。
【００２３】
上記の方法をコンピュータネットワーク上で実現するため、販売元１０が設置したコンピュータ１１には、商品リストと契約店舗リストを登録する。必要に応じて、商品リストにリンクされた預りカードリスト、購入者リスト、贈答リストなどを用意することができる。また、当該コンピュータには、インターネットを介しての金銭の決済手段、購入又は贈答依頼を受信して商品リストの商品ＩＤで指定されるレコードに預りフラグを立てて購入者情報（贈答の場合は購入者情報及び贈答先情報）を記録し、指定された貴金属商品の商品ＩＤを購入者に送信し、贈答の場合には贈答先に電子メール等で通知するする注文情報処理手段、契約店舗から受領情報を受信して商品リストの受領した商品ＩＤのレコードの預りフラグを消去し、契約店舗リストの受領した店舗ＩＤのレコードに当該貴金属商品の引取金額を計上する受領情報処理手段、商品送付情報の入力を受けて商品リストの商品ＩＤで指定されたレコードに販売フラグを立てて送付先情報を記録する送付情報処理手段などが登録される。これらの手段は、コンピュータで実行される処理プログラムである。
【００２４】
更に販売元のコンピュータ１１は、図７に示すように、貴金属商品の画像２６と金の純度、グラム数、価格などの仕様２７、商品の注文ないし贈答方法、現品との交換方法、契約店舗名などを記した説明文２８、購入者及び贈答先情報の入力欄２９、注文ボタン３０等を含む画面をインターネット上に開示する注文画面開示手段、送信者情報と商品ＩＤとを受信して商品リストで送信者情報が当該商品ＩＤと関連付けて記録されている購入者又は贈答先情報に一致したときに、該当する貴金属商品の画像、仕様及び入手方法や交換方法などの説明文を返信する商品情報送信手段、契約店舗端末４１から照会信号を受信したときに商品ＩＤで指定された商品のレコードに預りフラグが立っているかどうかを確認して受領可能な預りカードか受領不能の預りカードかを返信する照会処理手段などを備えている。
【００２５】
契約店舗４０・・・は、各店舗で販売する物品又はサービスの対価として預りカードを受け取ることを販売元１０との間で契約した店舗で、各契約店舗４０・・・には、インターネットに接続された契約店舗端末４１・・・が設置される。これらの店舗の情報は、販売元のコンピュータ１１の契約店舗リストに逐次登録される。契約店舗端末４１・・・は、キーボードやカードリーダなどの商品ＩＤ入力手段と、入力された商品ＩＤを含む照会信号の送信手段と、受領信号の送信手段と、販売元コンピュータの応答処理手段の返信が受領不可信号であったときに警告する警告手段とを備えている。
【００２６】
次に図３を参照して、贈答の場合の処理がどのように行われるかを説明する。購入の場合は、購入者４６と贈答先４７を同一として、以下の説明が適用される。購入者４６は、自己の端末４８をインターネットに接続して、販売元１０が開示している注文画面を開く。購入者は、開示された画面上で表示される純金カードの絵柄や価格を参照して、所望の商品を選び、購入者情報及び贈答先情報を入力して、注文信号を送信する。注文信号を受信したコンピュータ１１の注文処理手段は、贈答先情報にメールアドレスが含まれているときは、当該アドレスに宛てて、贈答された貴金属商品の商品ＩＤを含む贈答情報を送信する。贈答先情報にメールアドレスが含まれていないときは、コンピュータ１１の注文処理手段は、商品ＩＤ、購入者情報、購入ないし贈答された貴金属商品の仕様及び画像、入手方法や契約店舗での交換方法の説明文などを記載した通信文と、贈答先情報を記載した宛名ラベルとを出力する。販売元は、出力された通信文を贈答先に郵便で送付する。一般的にはこのとき、贈答された貴金属商品に対応する預りカードを送付する。販売元のコンピュータ１１が照会情報処理手段を備えているので、メールで贈答通知と商品ＩＤとを受信した贈答先４７は、販売元に照会要求を送信することにより、送られた貴金属商品の情報やその入手交換方法などの情報を得ることができる。
【００２７】
贈答先４７は、販売元１０に電子メールや郵便で純金カードの送付を要求することができる。この要求を受けたとき、販売元１０は対応する純金カードを送付し、商品リストに当該商品の販売フラグを立て、預りフラグを消去する。
【００２８】
贈答先４７が純金カード以外の物品やサービスを望むときは、その物品やサービスの提供を行う契約店舗４０・・・で所望の物品ないしサービスと預りカードとを交換する。この交換があったときは、契約店舗は、契約店舗端末から預りカードのＩＤと客の情報とを販売元のコンピュータ１１に送る。コンピュータ１１の受領情報処理手段は、この情報を受信したとき、商品リストを照合して必要な情報確認をした上で、商品リストの該当レコードに買い戻しによる在庫フラグを立て、預りフラグを消去して、その預りカードに対応する商品の金額に引取率を乗じた金額を送信してきた契約店舗のレコードに計上する。計上された金額は、電子決済手段で即時に又は予め定めた期日に決済する。なお、注文情報を受信したときの商品の対価の受領は、電子的な決済システム又は銀行の決済システムなどを用いて行われる。
【００２９】
なお純金カードは、貴金属の地金としての価値も備えているため、純金カードを地金価格で貴金属店などに売却することができる。
【００３０】
【発明の効果】
以上説明したこの発明の方法によれば、貴金属商品の販売を促進することができる。また販売した貴金属商品は預りカードという形態で贈答したり流通させたりすることが可能になるので、贈答品として貴金属商品を手軽に送ることが可能になり、貴金属商品の販売が更に促進される。この発明の預りカードは、従来のプリペイドカードや商品券などと異なり、預りカードの背後に美術的価値及び貴金属地金としての価値を備えた貴金属商品が存在しているので、贈答品として利用しやすく、所有者の満足度も大きく、プリペイドカードと同様な効用をより普遍的にかつ安全に実現でき、物品やサービスの流通を促進する効果もある。
【図面の簡単な説明】
【図１】この発明で使用される貴金属商品の一例を示す斜視図
【図２】この発明で使用される預りカードの一例を示す斜視図
【図３】実施例のブロック図
【図４】商品ファイルの項目の例を示した図
【図５】契約店舗ファイルの項目の例を示した図
【図６】カードとデータの流れを経時的に示した図
【図７】販売元のコンピュータがインターネット上に開示する注文画面の一例を示す図
【符号の説明】
１  純金カード
２  預りカード
６  インターネット
10  販売元
11  コンピュータ
40  契約店舗
41  契約店舗端末
46  購入者
47  贈答先
48  購入者端末
【図１】
2005321839.tif 000003
【図２】
2005321839.tif 000004
【図３】
2005321839.tif 000005
【図４】
2005321839.tif 000006
【図５】
2005321839.tif 000007
【図６】
2005321839.tif 000008
【図７】
2005321839.tif 000009